【手続補正書】
【提出日】平成27年3月23日(2015.3.23)
【手続補正１】
【補正対象書類名】明細書
【補正対象項目名】全文
【補正方法】変更
【補正の内容】
【発明の詳細な説明】
【発明の名称】高架式ベッド椅子変革装置
【技術分野】
【０００１】  本願は高架式のベッドが椅子になり又就寝ベッドに変革するため、スイッチ操作により、正逆両用原動機を活用して目的を達成することを最大の特徴とした構造原理であり、以下にわたって説明する。高架式であればベッドを椅子に変革しても、ベッドそのものが腰部位の高い位置に設計されているから、足の置き場所には充分な余裕が生じているので、常にリラックスで快適なベッド生活を過ごすことができ、寝たきり患者のストレスを解消することが最大の特徴である。即ちベッドが腰部位の高さであれば、高架式ベッドから椅子に変革することは容易であり、変換方法はどのような構造でも良いのであるが、まずは正逆両用原動機の減速ギヤモーター付きリニアヘッド１台で「梃子棒」で変換する構造を説明する。一式の就寝ベッドを、背中部をＡ、腰部をＢ，脚部をＣ、と三等分とし、Ａ，Ｂ，Ｃ，を連結させて繋いだ部分は関節構造とし容易に折り曲がる構造としたベッドを、高架式のベッド台の上に連結する。次に一本の長方形の梃子棒を三つに分け、わかりやすいように▲１▼，▲２▼、▲３▼、とする。その三つに分けた▲１▼、▲２▼、▲３▼、を繋いで連結した個所を関節構造とし、▲１▼と▲３▼の両端も関節構造とし、▲１▼の先端部を背中部のＡに連結し、▲３▼の先端部を腰部のＣに連結する。次にベッド下に設置されている、正逆両用減速ギヤモーター付きリニアヘッドの伸縮部先端に回転機能を有する関節構造とした「梃子」を連結し、その反対側の先端部を背中部のＡの裏側に固定接続する。次にスイッチの「椅子」を押せば、減速ギヤモーター付きリニアヘッドが逆回転するので、伸縮部は短くなり縮み、先端に連結されている関節機能付きの「梃子」は背中部のＡの裏側に固定されているので強力に押し上げることになる、同時に背中部Ａ、脚部Ｃ、に連結している「梃子棒」▲１▼、▲２▼、▲３▼、は背中部のＡが起き上がり連結されている脚部のＣに連結している「梃子棒」に引っ張られて脚部のＣは引き下げられるので「椅子」に変換し、リミットスイッチが作動して電源は自動的に停止する。
次に「椅子を就寝ベッド」に変換するときは、スイッチの「ベッド」を押せば、減速ギヤモーター付きリニアヘッドが正回転して、リニア背中部のＡに固定接続されている、減速ギヤモーター付きリニアヘッドの伸縮部が伸びれば、「梃子」の働きで背中部のＡは引き下げられる、連結されている「梃子棒」の▲１▼▲２▼▲３▼は連動しているので脚部Ｃに▲３▼は連結されており「梃子棒」の▲１▼背中部のＡと連動して引き下るので連動している▲３▼は押し上げられるから連結している脚部のＣも押し上げられて就寝ベッドに変換されて、リミットスイッチが作動して自動的に電源は停止する。
次に上記のように減速ギヤモーター１台で変換する構造ではなく減速ギヤモーターを複数用いて「椅子」に変換するには（▲１▼）チエーンや、スプロケット、ピロブロックなどの組み合わせで椅子に変革する方法と（▲２▼）のように背中部Ａの（イ）の減速モーターと、脚部のＣの（ロ）の減速ギャモータを複数用いた方法がある。（▲１▼）と（▲２▼）の製造工程やコスト面から考慮して、構造がシンプルであれば故障が少ないと言う観点から（▲２▼）の構造原理を説明する。ベッドは背中部のＡ、腰部Ｂ、脚部Ｃとに三等分としＡとＢを連結した個所は関節構造とし、脚部のＣは切り放して別個とし、腰部のＢの下に移動収納される構造とする。次に就寝ベッドの時はベッド下に設置されている（イ）の減速ギヤモーター付きリニアヘッドは伸びた状態で「椅子」に変換するときは減速ギやモーター付きリニアヘッドの伸縮部の先端には関節機能付きの「梃子」が連結されており、その反対側の先端は背中部のＡの裏側に固定接続されている。次にスイッチの「椅子」を押せば、減速ギヤモーターは逆回転するので、リニアヘッドの伸縮部は縮んで短くなり、伸縮部先端に連結されている関節機能付き「梃子」が、その反対側先端が背中部Ａの裏側に固定接続されているので、リニアヘッドの伸縮部が縮めば「梃子」が背中部のＡと連動して起き上がることになる。
次に脚部のＣを移動させるには、別の原動機を用いる。即ち、脚部のＣは就寝ベッド状になっているベッド下の構造は（ロ）の減速ギヤモーター付きリニアヘッドの伸縮部が伸びた状態で脚部Ｃの外部と連結されているから、スイッチ操作により、減速ギヤモーター付きリニアヘッドの伸縮部が縮んで腰部のＢに移動して収納される。従って脚部の支えがなくなれば足は下がるから自動的に「椅子」の状態となり  リミットスイッチが作動して自動的に電源は停止する。
次に、椅子を就寝ベッドに変換するときは、スイッチ操作により「ベッド」押せば、減速ギヤモーターが正回転してリニアヘッド伸縮部を伸ばすので、腰部Ｂの下に収納されている脚部のＣは押し出されるので就寝ベッドに変換された時点でリミットスイッチが作動して自動的に電源は停止する。
【背景技術】
【０００２】
【先行技術文献】
【０００３】
【発明の概要】
【発明を解決するための課題】
【０００４】現在、患者が用いているベッドは高さが低いので正常な椅子の形にすることができない構造であり、極めて不自然な形にならざるを得ない。特に足などはやり場がないのですぐに疲れてしまい、ストレスが溜まるばかりである。このように足のやり場がなく、すぐに疲れてしまうような、低くて不自然な形状のベッドではなく、足のやり場がゆったりできて、自然の状態の椅子になれば疲れや、ストレスが発生しないので、リラックスな状態でベッド生活を送ることができるベッドの開発が強く望まれている。
【問題を解決するための手段】
【０００５】上記の問題を解消するには、ベッドの高さを腰位とし、患者の身長（腰部）に合わせられるように調整できる構造とし。高架式ベッドの下には正逆両用減速ギヤモーター付きリニアヘッドを設置し、正逆両用原動機を稼働させることにより、ベットは折りたたみ構造または一部（腰部ベッドのみ）収納構造とし、ベッドを椅子状に変革したり就寝ベッドに変革するので、「腰高の椅子」であれば足のヤリ場所がなくて、すぐに疲れてしまう等という患者の切実な問題は解消されることを最大の特徴とした構造原理である。
【０００６】上記の解決手段により今まで患者が抱えているストレルや疲労する従来ベッドから、患者が人知れず悩んでいた問題を解消することができたので、ベッド生活を送っている患者の苦労を解消できることを特徴とした「高架式ベッド椅子変革装置」を提供する。
【発明の効果】
【０００７】本願は高架式のベッドをベッドが「椅子や就寝ベッド」に変換するためにスイッチ操作により正逆両用原動機を活用して目的を達成することを最大の特徴とした構造原理である。高架式であれば「ベッドを椅子」に変換してもベッドその物が患者の腰の高さに調整されているから、「ベッドから椅子」に変換しても、足の置き場所には充分な余裕が生じているので、常にリラックスでストレスの感じない快適なベッド生活を過ごすことができるのである。即ち、就寝ベッドが患者の腰部位の高さに調整劇る構造とすれば、「椅子」に変換する事はようい容易であるから、変換方法は高架式であれば、どのような方法でも差し支えないのであるが、まずは正逆両用原動機を１台で変換した場合と２台の複数を活用して変換した二例の構造原理を説明する。
正逆両用原動機を１台で目的を達成した構造から説明する。高架式ベッドの下に原動機である減速ギヤモーター付きリニアヘッドを設置し、就寝ベッドを背中部をＡ、腰部をＢ、脚部をＣと三等分としＡ、Ｂ、Ｃ、を連結し連結した個所を関節構造とし、容易に折り曲がる構造としたベッドを高架式である腰高状のベッド台に乗せる。次に１本の長方形の梃子棒を三つに分け解りやすいように▲１▼、▲２▼、▲３▼、とし、三つに分けた▲１▼，▲２▼、▲３▼、を繋いで連結した個所を関節機能付きとし、▲１▼と▲３▼の両端も関節構造とし、▲１▼の先端部を背中部のＡに連結し、▲３▼の先端部を腰部のＣに連結する。次にベッド下に設置されている原動機である、減速ギヤモーター付きリニアヘッド伸縮部の先端を関節構造とした「梃子」を連結し、その反対側の先端を背中部Ａの裏側に固定接続とする。次に背中部Ａの別の位置に「梃子棒」の▲１▼を連結し▲２▲と▲３▼を経由した「梃子棒」▲３▼を脚部Ｃの裏側の端の方に連結する。
次にスイッチの「椅子」を押せば、原動機の減速ギヤモーター付きリニアヘッドが逆回転するのでリニアヘッドの伸縮部は縮んで短くなるから連結されている「梃子」が背中部のＡは固定接続されているニアヘッドの伸縮部が短く縮むことにより「梃子」反対側は起き上がるので背中部のＡと「梃子棒」の▲１▼▲２▼▲３▼も連動し▲３▼も引っ張られるので脚部のＣも連動して引き下がり、「椅子」になった時点でリミットスイッチが作動して電源は自動的に停止する。次に変換している「椅子を就寝ベッド」にするときは、スイッチの「ベッド」を押せば原動機が正回転してリニアヘッドの伸縮部が伸びるので先端に連結されている「梃子」の反対側が背中部Ａの裏側に固定接続されているので、リニアヘッドが伸びれば連結している「梃子」は引っ張られるので背中部Ａに連結されている「梃子棒」が連動して関節部を経由して▲３▼の「梃子棒」を押し上げるので連結している脚部Ｃも持ち上げられるので就寝ベッドに変換し終わると、リミットスイッチが作動して電源は自動的に停止する。
次に正逆両用原動機を複数用いて変換する構造を説明する。原動機を複数用いるので、上記の１台の原動機で「椅子やベッド」に変換するよりも原動機が増えた分のコスト高は避けられないが、その構造を以下のように説明する。原動機を複数用いた場合には、（▲１▼）のチエーンとスプロケットとピロブロックを組見合わせた場合と、（▲２▼）の背中部のＡ専用の原動機と脚部のＣ専用の原動機を活用する二通リがあり、（▲１▼）と（▲２▼）の製造工程や故障率やコスト面から考慮すると、（▲２▼）の方が構造がシンプルであり製造工程が簡単で、コストも安価で故障が少ないということが理解できたので、（▲２▼）の構造を説明する。就寝ベッドは、背中部Ａ、腰部Ｂ、脚部Ｃ、と三等分とし、ＡとＢを連結した個所は関節構造とし、脚部のＣは切り離されて別個とし、腰部Ｂの下に移動収納される構造とし、就寝ベッドから「椅子」に変換する構造を説明する。背中部Ａ専用の減速ギヤモーター付きリニアヘッド伸縮部先端を関節機能付きの「梃子」を連結し、その反対側の先端を背中部Ａの裏側に固定接続されているので、スイッチの「椅子」を押せば原動機が逆回転して伸縮部が縮まるので伸縮部先端に連結されている関節機能付き「梃子」の反対側の先端は背中部Ａに固定接続されているのでリニアヘッドの伸縮部が短く縮まれば関節部を経由した「梃子」の先端は背中部Ａの裏側に固定接続されているので「梃子」に背中部のＡは起き上がる。背中部Ａを倒すには、スイッチの「ベッド」を押せば原動機は正回転して、リニアヘッドの伸縮部が伸びるので、連結されている「梃子」に引き下げられて水平になる。
次に脚部Ｃの伸縮構造を説明する。スイッチの「椅子」を押せば原動機の減速ギヤモーター付きリニアヘッドが逆回転するので、脚部Ｃの外側に接続されている、リニアヘッドの伸縮部が縮むので脚部Ｃは腰部のＢの下に移動して収納される。脚部の支えが無くなれば、足は自動的に下がることになる。従って「椅子」に変換する時は、（イ）と（ロ）の原動機を同時に稼働するようにスイッチ配線をすればよく、「椅子」に変換がされ終わった時点で、リミットスイッチが作動して電源は自動的に停止する。
次に「椅子を就寝ベッドに変換」する時は、スイッチの「ベット」を押せば、（イ）の原動機が正回転するので、リニアヘッドの伸縮部が伸びる先端は関節機能付きの「梃子」が連結されており、その反対側の先端が背中部のＡに固定接続されているので、減速ギヤモーター付きリニアヘッドが正回転して伸びれば「梃子」の作用で、背中部Ａは引き倒されることになる。
同時に（ロ）の原動機も正回転するので、脚部のＣはリニアヘッドの伸縮部と連結されているから、減速ギヤモーターが正回転するので、腰部のＢの下に収納されている脚部のＣは連動して押し出されるので就寝ベッドに変換される構造原理である。
【図面の簡単な説明】
【０００８】
【図１】図１、正逆両用減速ギヤモーター付きリニアヘッドが逆回転してベッド裏側に連結されているので梃子棒が作動し、背中部Ａを起こし脚部Ｃが下がり、椅子状になっていることを示す平面写真
【図２】図２、正逆両用減速ギヤモーター付きリニアヘッドが逆回転して、ベッド裏側に連結されている梃子棒が作動して連結している背中部Ａを起こし脚部Ｃが下がり、椅子状になっていることを示す側面写真。
【図３】図３、正逆両用減速ギヤモーター付きリニアヘッドが正回転して、ベッド裏側に連結されている梃子棒が作動して連結されている背中部Ａが引き下げられ脚部Ｃが押し上げられて上昇し就寝ベッドを示す側面写真。
【図４】図４、減速ギヤモーター付きリニアヘッドを逆回転させベッドの裏側に連結されている梃子棒が作動して椅子状になったことを示した側面図。
【図５】図５、減速ギヤモーター付きリニアヘッドが正回転して、ベッドの裏側に連結されている梃子棒が作動して就寝ベッドになったことを示す側面図。
【図６】図６原動機の減速ギヤモーター付きリニアヘッドを複数活用し安楽椅子に変換したことを示す側面図。
【図７】図７、原動機の減速ギヤモーター付きリニアヘッドを複数活用し就寝ベッドに変換したことを示す側面図。
【符号の説明】
【０００９】Ａは背中部ベッド、Ｂは腰部ベッド、Ｃは脚部ベッド、Ｄは敷布団  （１）は梃子、１は梃子棒  ２は関節部  ３は高架式ベッド、イ、ロ、ハ、は正逆両用原動機の減速ギヤモーター付きリニアヘッド
【手続補正２】
【補正対象書類名】図面
【補正対象項目名】図４
【補正方法】追加
【補正の内容】
【図４】
2015073882.tif 000001
【手続補正３】
【補正対象書類名】図面
【補正対象項目名】図５
【補正方法】追加
【補正の内容】
【図５】
2015073882.tif 000002
【手続補正４】
【補正対象書類名】図面
【補正対象項目名】図６
【補正方法】追加
【補正の内容】
【図６】
2015073882.tif 000003
【手続補正５】
【補正対象書類名】図面
【補正対象項目名】図７
【補正方法】追加
【補正の内容】
【図７】
2015073882.tif 000004
【手続補正６】
【補正対象書類名】特許請求の範囲
【補正対象項目名】全文
【補正方法】変更
【補正の内容】
【特許請求の範囲】
【請求項１】
本願は、高架式のベッドが椅子になり又、就寝ベッドに変革するため、スイッチ操作により、正逆両用原動機の減速ギヤモーター付きリニアヘッドを稼働して目的を達成することを最大の特徴とした構造原理であり、以下にわたって説明する。高架式であれば就寝ベッドを椅子に変革しても、ベッドそのものは腰部位の高さに設計されており、足の置き場所には充分な余裕があるので、患者は常にリラックスで快適なベッド生活を過ごすことが出来、寝たきりの患者のストレスは解消することができるのである。即ちベッドが腰部位の高さがあれば就寝ベッドから椅子に変革する事は容易である。従って変革方法は足の位置が自然の姿勢で充分な余裕がありリラックスな姿勢になれるのであれば、どのような構造でも差し支えはないのであるが、まずは原動機である減速ギヤモーター付きリニアヘッド１台で「梃子棒」で変革する構造を説明する。一式の就寝ベッドを背中部のＡ、腰部をＢ、脚部をＣ三等分とし、Ａ、Ｂ、Ｃ、を連結させ、連結した部分を関節構造とし、容易に折り曲がりができる構造としたベッドを、腰高状のベッド台の上に連結する。  次に一本の長方形の「梃子棒」を三つに分け、解りやすいように▲１▼、▲２▼、▲３▼とする。次に▲１▼▲２▼▲３▼を連結し、連結した個所は関節構造とし、▲１▼と▲３▼の両端も関節構造とし、▲１▼の先端部を背中部のＡに連結し、▲３▼の先端部を脚部のＣに連結する。次に、ベッド下に正逆両用減速ギヤモーター付きリニアヘッドの伸縮部先端に回転構造の関節機能を有する「梃子」に連結し、反対側の先端部を脚部のＡの裏側に固定接続する。次に背中部のＡの裏側の原動機経由の「梃子」とは別の位置に「梃子棒」の▲１▼を連結し、脚部のＣに「梃子棒」の▲３▼を連結させる。次にスイッチの「椅子」を押せば、減速ギヤモーター付きリニアヘッドは逆回転するので伸縮部は短くなり、先端に連結されている「梃子」は、背中部Ａを押し上げるから、連結されている梃子棒の▲１▼▲２▼▲３▼と連動して▲３▼の脚部Ｃが連結されている脚部Ｃのベッドは、引っ張られて引き下がるので、椅子に変革した状態になり終わると、リミットスイッチが作動して電源は自動的に停止する。次に「椅子を就寝ベッド」変革するときは、減速ギヤモーター付きリニアヘッドの伸縮装置の先端に連結してある関節機能付きの「梃子」の反対側の先端は背中部Ａが固定されて接続されているので、減速ギヤモーターをスイッチの「ベッド」を押せば、原動機が正回転して、リニアヘッドが伸びる、その伸びて先端に連結されている関節機能付きの「梃子」の反対側の先端は背中部Ａに固定接続されているので、連結している「梃子」に引っ張られ背中部Ａに連結されている▲１▼の「梃子棒が連動して倒れる」ので移動し関節部を経由して▲３▼の梃子棒が連結されている脚部Ｃも持ち上がり就寝ベッドに変革し終わると、リミットスイッチが作動して停止するという構造原理である。
次に高架式ベッドで、上記のように正逆両用原動機１台で変革する構造ではなく、減速ギヤモーターを複数用いて「椅子」に変革する構造であるが、原動機が複数なので、その分のコスト増は避けられない。
「就寝ベッドと椅子に変換」するには原動機を複数活用には二例あるが、（▲１▼）のチェーン（羽根付き）にスプロケットとピロブロックを組み合わせて椅子状に変革する方法と（▲２▼）の背中部Ａの減速ギヤモーターと、脚部Ｃの減速ギヤモーターを用いた方法がある。（▲１▼）と（▲２▼）を比較してみると（▲２▼）の方が製造工程やコスト面からも構造がシンプルであるから故障もないと判断し（▲２▼）の構造原理を説明する。ベッドは背中部をＡ，腰部をＢ、脚部をＣ，と三等分にし、ＡとＢを連結した個所は関節構造とし、脚部のＣは切り離されて別個とし、腰部のＢの下に移動収納をされる構造とする。椅子状に変革するときは原動機の減速モーター付きリニアヘッドの伸縮部の先端は関節機能付き「梃子」を連結し、その反対側の先端が背中部Ａの裏側に固定接続する。次にスイッチの「椅子」を押せば、減速ギヤモーター付きリニアヘッドが逆回転して縮むので、伸縮部先端に関節機能付き「梃子」が連結され、その反対側の先端が背中部Ａの裏側に固定接続されているから「梃子」と背中部Ａは連動して起き上がる。次に「ベッド」のスイッチを押せば、リニアヘッド伸縮部に関節付きの「梃子」の反対側は背中部のＡに固定接続されており、原動機が正回転すれば、伸縮部が伸びるので「梃子」と背中部Ａを引っ張られて背中部Ａは水平になる。次に脚部Ｃは、原動機の減速ギヤモーター付きリニアヘッドと連結されているので、スイッチの「椅子」を押せば、原動機は逆回転し伸縮部は縮んで、腰部Ｂの下に脚部Ｃは移動して収納される。次に脚部をベッド状にするには、スイッチの「ベッド」を押せば、原動機が正回転するから、リニアヘッドの伸縮部は伸びて脚部Ｃと連結されており、腰部Ｂの下に収納されている脚部Ｃは押し出されるので就寝ベッドに変革されることになる。本願は、高架式のベッドを「椅子」に変換し、就寝するときはベッドに変換するということを、スイッチ操作により原動機の減速ギヤモータ付きリニアヘッドを活用して目的を達成する装置であり、足や腰が不自由でベッド生活を余儀なく暮らしてしている患者のストレスを解消し、リラックスなベッド生活を過ごすことを最大の特徴とした構造原理の「高架式ベッド椅子変換装置」を本日ここに提供する。